(57)【特許請求の範囲】
【請求項１】
（ａ）活性基地局としての多数の基地局のいずれか一つから送信された最も強い第１パイロットチャンネルを検索し、上記検索された第１パイロットチャンネルの強さを測定する段階；
（ｂ）段階（ａ）で測定された第１パイロットチャンネルの強さに基づいて可変しきい値を得る段階；
（ｃ）上記第１パイロットチャンネルに同期された多数の隣接基地局を有する上記活性基地局の隣接基地局リストを有するページングチャンネルをモニターする段階；
（ｄ）上記隣接基地局リストに含まれた上記多数の隣接基地局のいずれか一つから送信された第２パイロットチャンネルの強さを測定する段階；
（ｅ）上記第２パイロットチャンネルの強さから上記第１パイロットチャンネルの強さを減算して強さの差を得る段階；
（ｆ）上記強さの差が上記可変しきい値より大きいか否かを判断する段階；及び
（ｇ）段階（ｆ）の判断の結果によって移動局に対するアイドルハンドオフの遂行を制御する段階；
を含むことを特徴とする移動通信システムにおけるアイドルハンドオフ制御方法。
【請求項２】
上記可変しきい値は上記第１パイロットチャンネルの強さに比例することを特徴とする請求項１に記載の移動通信システムにおけるアイドルハンドオフ制御方法。
【請求項３】
上記第１パイロットチャンネルの強さがいくら小さくても上記可変しきい値は所定値より大きいことを特徴とする請求項１に記載の移動通信システムにおけるアイドルハンドオフ制御方法。
【請求項４】
上記第１パイロットチャンネルの強さが離散値を有する場合、上記可変しきい値は離散的に変わることを特徴とする請求項１に記載の移動通信システムにおけるアイドルハンドオフ制御方法。
【請求項５】
段階（ｆ）において、上記強さの差が上記可変しきい値より大きい場合、段階（ｇ）で上記移動局に対するアイドルハンドオフを遂行することを特徴とする請求項１に記載の移動通信システムにおけるアイドルハンドオフ制御方法。
【請求項６】
上記段階（ｆ）において、上記強さの差が上記可変しきい値以下である場合、段階（ｇ）は、
（ｇ−１）段階（ｆ）の遂行回数が上記隣接基地局の総数より大きいか否かを判断する段階；
（ｇ−２）段階（ｆ）の遂行回数が上記隣接基地局の総数以下である場合、上記活性基地局から現在送信された上記第１パイロットチャンネルを検索して処理すべき隣接基地局の番号を増加させる段階；及び
（ｇ−３）段階（ｄ）を遂行する段階；
を含むことを特徴とする請求項１に記載の移動通信システムにおけるアイドルハンドオフ制御方法。
【請求項７】
（Ａ）活性基地局としての多数の基地局のいずれか一つから送信された最も強い第１パイロットチャンネルを検索し、上記検索された第１パイロットチャンネルの強さを測定する段階；
（Ｂ）上記第１パイロットチャンネルに同期された多数の隣接基地局を有する上記活性基地局の隣接基地局リストを有するページングチャンネルをモニターする段階；
（Ｃ）上記隣接基地局のリストに含まれた上記多数の隣接基地局のいずれか一つから送信された第２パイロットチャンネルの強さを測定する段階；
（Ｄ）上記第２パイロットチャンネルの強さから上記第１パイロットチャンネルの強さを減算して強さの差を得る段階；
（Ｅ）上記強さの差がしきい値より大きいか否かを判断する段階；
（Ｆ）上記強さの差が上記しきい値より大きい場合、上記強さの差が上記しきい値より大きい状態が所定の時間間隔をもって維持されるか否かを判断する段階；及び
（Ｇ）上記段階（Ｆ）の判断結果によって移動局に対するアイドルハンドオフの遂行を制御する段階；
を含むことを特徴とする移動通信システムにおけるアイドルハンドオフ制御方法。
【請求項８】
段階（Ｆ）は、
（Ｆ−１）上記強さの差が上記しきい値より大きい状態に維持される時間間隔をカウントする段階；及び
（Ｆ−２）段階（Ｆ−１）でカウントされた時間間隔が所定の時間間隔より大きいか否かを判断する段階；
を含むことを特徴とする請求項７に記載の移動通信システムにおけるアイドルハンドオフ制御方法。
【請求項９】
Ａ）活性基地局としての多数の基地局のいずれか一つから送信された最も強い第１パイロットチャンネルを検索し、上記検索された第１パイロットチャンネルの強さを測定する段階；
Ｂ）上記第１パイロットチャンネルに同期された多数の隣接基地局を有する上記活性基地局の隣接基地局リストを有するページングチャンネルをモニターする段階；
Ｃ）上記隣接基地局のリストに含まれた上記多数の隣接基地局のいずれか一つから送信された第２パイロットチャンネルの強さを測定する段階；
Ｄ）上記第２パイロットチャンネルの強さから上記第１パイロットチャンネルの強さを減算して強さの差を得る段階；
Ｅ）上記強さの差がしきい値より大きいか否かを判断する段階；
Ｆ）上記強さの差が上記しきい値よりも大きいことが、所定回数連続したことを判断する段階；及び
Ｇ）上記段階Ｆ）の判断結果によって移動局に対するアイドルハンドオフの遂行を制御する段階；
を含むことを特徴とする移動通信システムにおけるアイドルハンドオフ制御方法。
【請求項１０】
段階Ｆ）は、
Ｆ−１）段階Ｅ）の実行回数をカウントする段階；及び
Ｆ−２）段階Ｆ−１）のカウント動作によってカウントされた回数が所定の数より大きいか否かを判断する段階；
を含むことを特徴とする請求項９に記載の移動通信システムにおけるアイドルハンドオフ制御方法。
【発明の詳細な説明】
【０００１】
【発明の属する技術分野】
本発明は移動通信システムに関し、より詳しくは、移動通信システムにおけるアイドルハンドオフを制御する方法に関する。
【０００２】
【従来の技術】
移動通信環境において、ある移動局が第１セルから第２セルに移動する時には、第１セルの高周波数（radio frequency；ＲＦ）通信リンクを第２セルに移動する必要があり、このような動作をハンドオフと言う。車輌装着用電話機、携帯用電話機または個人通信システムのような移動局が休止状態で、ある一つの基地局の電波領域から他の基地局の電波領域に移動する時には、アイドルハンドオフが発生する。ある移動局が他の基地局からのパイロットチャンネル信号を検出した場合、即ち、上記他の基地局からのパイロットチャンネル信号の強さが現在の基地局のパイロットチャンネル信号のそれより十分に強い場合、移動局はアイドルハンドオフを行うことを決定する。休止状態で移動局がページングチャンネルをモニターすれば常に現在のＣＤＭＡ周波数割り当てのうち最も強いパイロットチャンネル信号が持続的に検索される。そして移動局が、隣接群又は残りの群から送信されたパイロットチャンネル信号のうち一つが活性群のパイロットチャンネル信号より十分な強さを持つと判断した時には、移動局はアイドルハンドオフを行わなければならない。
【０００３】
１９９５年７月２５日付でヒロフミ・シオツキ等に許与された米国特許第5,436,956号には移動通信システムにおけるハンドオフ要請の数を減らすための方法及びその装置が開示されている。
【０００４】
図１には従来の移動通信システムにおけるアイドルハンドオフ制御方法が示されている。Ｓ１０１において、使用者が移動局（図示せず）のパワーボタン（図示せず）を押すと、移動局は活性局としての多数の基地局のいずれか一つから現在送信されたＣＤＭＡ周波数割り当てのうち最も強い第１パイロットチャンネルを検索し、上記検索された第１パイロットチャンネルの強さＡ、即ち、総受信スペクトル密度（雑音及び信号）Ｉｔに対するチップ当りの受信パイロットエネルギーＥｃを測定する（Ａ＝Ｅｃ／Ｉｔ）。
【０００５】
Ｓ１０２で、上記移動局は上記隣接基地局の一つから送信された第２パイロットチャンネルを検索し、その強さＢを測定する（即ち、Ｂ＝Ｅｃ１／Ｉｔ１）。Ｓ１０３で、上記移動局は上記隣接基地局に対する第２パイロットチャンネルの強さＢから上記活性基地局に対する第１パイロットチャンネルの強さＡを減算して強さの差Ｄを得る（即ち、Ｄ＝Ｂ−Ａ）。
【０００６】
Ｓ１０４で、上記移動局は強さの差Ｄが２ｄＢ乃至３ｄＢのしきい値ＣＴＨより大きいか否かを判断する。Ｓ１０４の判断の結果、上記強さの差Ｄが上記しきい値ＣＴＨより大きい場合、制御器２０４はＮ番目の隣接基地局のページングチャンネルを検索及びモニターして移動局にアイドルハンドオフを行わせる（Ｓ１０５）。これにより、移動局は上記隣接基地局のサービス領域に移動した他の移動局と通信できるようになる。一方、上記強さの差Ｄが上記しきい値ＣＴＨ以下である場合、処理ルーチンはＳ１０１に戻り、上記処理された隣接基地局を除いた他の隣接基地局に対して上記の過程を繰り返す。
【０００７】
従来のアイドルハンドオフ制御方法において、上記ハンドオフのしきい値は、２ｄＢ乃至３ｄＢの固定値である。隣接基地局の一つから送信された第２パイロットチャンネルの強さが瞬間的に活性基地局からの第１パイロットチャンネルの強さより大きく受信されれば、上記第１パイロットチャンネルの強さが十分に大きい場合であっても、移動局はアイドルハンドオフを行わなければならず、頻繁なアイドルハンドオフのため、移動局のバッテリー消耗が増大し着信率が低下する。また、移動局が他の領域に移動する場合には基地局からの着信号を受信するために移動局はその現在位置を基地局に周期的に報告しなければならない。このため、逆制御チャンネルの負荷が増加し逆制御チャンネルの通信効率も低下する。特に、ページ領域が変わる場合には、頻繁なアイドルハンドオフにより移動局の着信率はさらに低下する。
【０００８】
【発明が解決しようとする課題】
本発明は上記のような問題点に鑑みてなされたものであり、本発明の目的は、移動通信システムにおいて、アイドルハンドオフ動作の回数を効果的に減らすことのできるアイドルハンドオフ制御方法を提供することにある。
【０００９】
【課題を解決するための手段】
上記の目的を達成するための本発明の第１実施例による移動通信システムにおけるアイドルハンドオフ制御方法は、
（ａ）活性基地局としての多数の基地局のいずれか一つから送信された最も強い第１パイロットチャンネルを検索し、上記検索された第１パイロットチャンネルの強さを測定する段階；
（ｂ）段階（ａ）で測定された第１パイロットチャンネルの強さに基づいて可変しきい値を得る段階；
（ｃ）上記第１パイロットチャンネルに同期された多数の隣接基地局を有する上記活性基地局の隣接基地局リストを有するページングチャンネルをモニターする段階；
（ｄ）上記隣接基地局のリストに含まれた上記多数の隣接基地局のいずれか一つから送信された第２パイロットチャンネルの強さを測定する段階；
（ｅ）上記第２パイロットチャンネルの強さから上記第１パイロットチャンネルの強さを減算して強さの差を得る段階；
（ｆ）上記強さの差が上記可変しきい値より大きいか否かを判断する段階；及び
（ｇ）段階（ｆ）の判断結果によって移動局に対するアイドルハンドオフの遂行を制御する段階；を含む。
【００１０】
本発明の第２実施例による移動通信システムにおけるアイドルハンドオフ制御方法は、
（Ａ）活性基地局としての多数の基地局のいずれか一つから送信された最も強い第１パイロットチャンネルを検索し、上記検索された第１パイロットチャンネルの強さを測定する段階；
（Ｂ）上記第１パイロットチャンネルに同期された多数の隣接基地局を有する上記活性基地局の隣接基地局リストを有するページングチャンネルをモニターする段階；
（Ｃ）上記隣接基地局のリストに含まれた上記多数の隣接基地局のいずれか一つから送信された第２パイロットチャンネルの強さを測定する段階；
（Ｄ）上記第２パイロットチャンネルの強さから上記第１パイロットチャンネルの強さを減算して強さの差を得る段階；
（Ｅ）上記強さの差がしきい値より大きいか否かを判断する段階；
（Ｆ）上記強さの差が上記しきい値より大きい場合、上記強さの差が上記しきい値より大きい状態が所定時間間隔をもって維持されるか否かを判断する段階；及び
（Ｇ）上記段階（Ｆ）の判断結果によって移動局に対するアイドルハンドオフの遂行を制御する段階；を含む。
【００１１】
本発明の第３実施例による移動通信システムにおけるアイドルハンドオフ制御方法は、
Ａ）活性基地局としての多数の基地局のいずれか一つから送信された最も強い第１パイロットチャンネルを検索し、上記検索された第１パイロットチャンネルの強さを測定する段階；
Ｂ）上記第１パイロットチャンネルに同期された多数の隣接基地局を有する上記活性基地局の隣接基地局リストを有するページングチャンネルをモニターする段階；
Ｃ）上記隣接基地局のリストに含まれた上記多数の隣接基地局のいずれか一つから送信された第２パイロットチャンネルの強さを測定する段階；
Ｄ）上記第２パイロットチャンネルの強さから上記第１パイロットチャンネルの強さを減算して強さの差を得る段階；
Ｅ）上記強さの差がしきい値より大きいか否かを判断する段階；
Ｆ）上記強さの差が上記しきい値よりも大きいことが、所定回数連続したことを判断する段階；及び
Ｇ）上記段階Ｆ）の判断結果によって移動局に対するアイドルハンドオフの遂行を制御する段階；を含む。
【００１２】
本発明によれば、移動通信システムにおいてアイドルハンドオフの発生回数を減らすことにより、移動局でのバッテリー消耗電力の減少、逆方向制御チャンネルの通信効率の向上、及び着信率増加等の効果を得ることができる。
【００１３】
【発明の実施の形態】
以下、添付図面を参照しながら本発明の実施例をより詳しく説明する。
【００１４】
図２は本発明によるアイドルハンドオフ制御方法を説明するための移動通信システムの構成を示す。上記移動通信システムは移動局２０及び多数の基地局１０１、１０２、１０３、…、１０（Ｎ−１）、及び１０Ｎ（ここで、Ｎは整数）を含む。上記移動局２０はキー入力部２０２、制御器２０４、メモリ２０６、タイマー２０８、及びカウンター２１０を含む。キー入力部２０２は移動局２０をオンするためのパワーボタンを有する。
【００１５】
制御器２０４は活性基地局１０１としての多数の基地局１０１、１０２、１０３、…、１０（Ｎ−１）、及び１０Ｎ（ここで、Ｎは整数）の一つから現在送信されたＣＤＭＡ周波数割り当てのうち最も強い第１パイロットチャンネルを検索し、上記検索された第１パイロットチャンネルの強さＡ（Ｎ）、即ち、総受信スペクトル密度（雑音及び信号）Ｉｔに対するチップ当りの受信パイロットエネルギーＥｃを測定する（Ａ（Ｎ）＝Ｅｃ／Ｉｔ）。制御器２０４は上記第１パイロットチャンネルの強さＡ（Ｎ）に基づいて可変しきい値ＶＴＨ（Ｎ）を計算する。制御器２０４は上記第１パイロットチャンネルに同期された上記活性基地局１０１から送信された活性基地局の隣接基地局リスト（Ｋ）（ここで、Ｋは整数）を有するページングチャンネルをモニターする。上記ページングチャンネルはインコードされ、インターリーブ（interleaved）され、拡散及び変調された拡散スペクトル信号であって、基地局の電波領域内で動く移動局により用いられる。基地局はシステムオーバーヘッド情報及び移動局の特定メッセージを伝送するためにページングチャンネルを用いる。制御器２０４はＮ番目の隣接基地局から送信された第２パイロットチャンネルを検索し、上記検索された第２パイロットチャンネルの強さＫ（Ｎ）を測定する。次いで、上記制御器２０４は強さの差ＳＤ（Ｎ）が上記可変しきい値ＶＴＨ（Ｎ）より大きいか否かを判断し、その結果によってアイドルハンドオフの遂行を制御する。
【００１６】
メモリ２０６は第１パイロットチャンネルの強さＡ（Ｎ）、上記可変しきい値ＶＴＨ（Ｎ）、上記ページングチャンネルに含まれた隣接基地局のリスト（Ｋ）、第２パイロットチャンネルの強さＫ（Ｎ）、及び上記強さの差ＳＤ（Ｎ）を貯蔵する。タイマー２０８はキー入力部２０２のパワーボタンを押すことでリセットされ、上記強さの差ＳＤ（Ｎ）がしきい値ＦＴＨより大きい場合、その状態が維持される時間間隔ＴＩをカウントする。
【００１７】
カウンター２１０はキー入力部２０２のパワーボタンを押すことによりリセットされ、強さの差ＳＤ（Ｎ）がメモリ２０６に貯蔵されたしきい値ＧＴＨより大きい場合、上記強さの差ＳＤ（Ｎ）がメモリ２０６に貯蔵された上記しきい値ＧＴＨより大きいか否かを判断する段階の実行回数Ｎをもって上記隣接基地局の総数Ｋをカウントする。
【００１８】
【実施例１】
図３は本発明の第１実施例による移動通信システムにおけるアイドルハンドオフ制御方法を示す。
【００１９】
Ｓ３０１において、使用者が移動局２０のキー入力部２０２のパワーボタンを押すと、制御器２０４は活性基地局としての多数の基地局１０１、１０２、１０３、…、１０（Ｎ−１）、及び１０Ｎ（ここで、Ｎは整数）のいずれか一つから現在送信されたＣＤＭＡ周波数割り当てのうち、最も強い第１パイロットチャンネルを検索する。Ｓ３０２で、制御器２０４はＳ３０１で検索された第１パイロットチャンネルの強さＡ（Ｎ）、即ち、総受信スペクトル密度（雑音及び信号）Ｉｔに対するチップ当りの受信パイロットエネルギーＥｃを測定する（Ａ（Ｎ）＝Ｅｃ／Ｉｔ）。次いで、制御器２０４は第１パイロットチャンネルの強さＡ（Ｎ）をメモリ２０６に貯蔵する（Ｓ３０３）。
【００２０】
Ｓ３０４で、制御器２０４はメモリ２０６に貯蔵された第１パイロットチャンネルの強さＡ（Ｎ）に基づき、次の式をもって可変しきい値ＶＴＨ（Ｎ）を計算する。
【００２１】
可変しきい値ＶＴＨ（Ｎ）＝ｆ（Ａ）、ここでＮは整数
即ち、可変しきい値ＶＴＨ（Ｎ）は第１パイロットチャンネルの強さＡ（Ｎ）の連続関数又は離散関数であって、第１パイロットチャンネルの強さＡ（Ｎ）に比例して変わる。
【００２２】
本発明の第１実施例によれば、上記可変しきい値ＶＴＨ（Ｎ）が連続関数ｆ（Ａ）＝Ｍ×Ａ（Ｎ）（ここで、Ｍは整数）である場合、第１パイロットチャンネルの強さＡ（Ｎ）が増加すれば上記可変しきい値ＶＴＨ（Ｎ）は第１パイロットチャンネルの強さＡ（Ｎ）のＭ倍に増加する。また、上記可変しきい値ＶＴＨ（Ｎ）が連続関数ｆ（Ａ）＝Ｍ×Ａ（Ｎ）＋Ｃ（ここで、Ｍ及びＣは整数）である場合には、第１パイロットチャンネルの強さＡ（Ｎ）がいくら小さくても上記可変しきい値ＶＴＨ（Ｎ）はＣより大きい。一方、上記可変しきい値ＶＴＨ（Ｎ）が離散関数である場合、第１パイロットチャンネルの強さＡ（Ｎ）がＡ（Ｎ）＞Ｘ１、Ｘ１＞Ａ（Ｎ）＞Ｘ２、…、Ｘｎ−２＞Ａ（Ｎ）＞Ｘｎ−１、及びＸｎ−１＞Ａ（Ｎ）＞Ｘｎのように離散的な値を有するので、ＶＴＨ（Ｎ）は、各々ＶＴＨ（Ｎ）＝ｆ（Ｘ１）、ＶＴＨ（Ｎ）＝ｆ（Ｘ２）、…、ＶＴＨ（Ｎ）＝ｆ（Ｘｎ−１）、及びＶＴＨ（Ｎ）＝ｆ（Ｘｎ）となる（ここで、Ｘ１＞Ｘ２＞Ｘ３＞、…、Ｘｎ−１＞Ｘｎであり、ｆ（Ｘ１）＞ｆ（Ｘ２）、…、ｆ（Ｘｎ−１）＞ｆ（Ｘｎ））。即ち、第１パイロットチャンネルの強さＡ（Ｎ）が離散値を有するため、可変しきい値ＶＴＨ（Ｎ）は離散的に変わる。
【００２３】
そして、制御器２０４は上記可変しきい値ＶＴＨ（Ｎ）＝ｆ（Ａ）をメモリ２０６に貯蔵する（Ｓ３０５）。Ｓ３０６で制御器２０４は上記第１パイロットチャンネルに同期された上記活性基地局１０１から送信された活性基地局の隣接基地局リスト（Ｋ）（ここで、Ｋは整数）を有するページングチャンネルをモニターする。Ｓ３０７で制御器２０４は上記ページングチャンネルに含まれた隣接基地局のリスト（Ｋ）を貯蔵するようにメモリ２０６を制御する。本実施例では上記活性基地局１０１は１９個の隣接基地局を有するのが望ましい。
【００２４】
Ｓ３０８で、制御器２０４は読み取るべき隣接基地局のメッセージ番号を１に設定する（Ｎ→１）。Ｓ３０９で制御器２０４はメモリ２０６に貯蔵されたＮ番目の隣接基地局に対応するメッセージを読み取る。Ｓ３１０で制御器２０４はメモリ２０６に貯蔵されたメッセージに対応するＮ番目の隣接基地局から送信された第２パイロットチャンネルを検索する。Ｓ３１１で制御器２０４はＳ３１０で検索された第２パイロットチャンネルの強さＫ（Ｎ）を測定する（Ｋ（Ｎ）＝Ｅｃｋ／Ｉｔｋ）。そして制御器２０４は第２パイロットチャンネルの強さＫ（Ｎ）をメモリ２０６に貯蔵する（Ｓ３１２）。
【００２５】
Ｓ３１３で、制御器２０４はメモリ２０６に貯蔵されたＮ番目の隣接基地局に対する第２パイロットチャンネルの強さＫ（Ｎ）から活性基地局１０１に対する第１パイロットチャンネルの強さＡ（Ｎ）を減算して強さの差ＳＤ（Ｎ）を得る（即ち、ＳＤ（Ｎ）＝Ｋ（Ｎ）−Ａ（Ｎ））。その後、制御器２０４はＳ３１３で得た強さの差ＳＤ（Ｎ）をメモリ２０６に貯蔵する（Ｓ３１４）。
【００２６】
Ｓ３１５で、制御器２０４は強さの差ＳＤ（Ｎ）が上記可変しきい値ＶＴＨ（Ｎ）より大きいか否かを判断する。Ｓ３１５の判断の結果、上記強さの差ＳＤ（Ｎ）が上記可変しきい値ＶＴＨ（Ｎ）より大きい場合、制御器２０４は上記Ｎ番目の隣接基地局のページングチャンネルを検索及びモニターし、移動局にアイドルハンドオフを行わせる（Ｓ３１６）。これにより、移動局２０はＮ番目の隣接基地局のサービス領域に移動した他の移動局と通信可能になる。これに対し、上記強さの差ＳＤ（Ｎ）が上記可変しきい値ＶＴＨ（Ｎ）以下である場合には、制御器２０４はＳ３１５の実行回数Ｎが上記隣接基地局の総数Ｋより大きいか否かを判断する（Ｓ３１７）。
【００２７】
Ｓ３１７の判断の結果、Ｓ３１５の実行回数Ｎが上記隣接基地局の総数Ｋより大きいならば処理ルーチンは終了する。これに対し、Ｓ３１５の実行回数Ｎが上記隣接基地局の総数Ｋ以下である場合、制御器２０４は上記活性基地局１０１から現在送信されたパイロットチャンネルを検索し、処理すべき隣接基地局のメッセージ番号を１だけ増加させる（Ｎ→Ｎ＋１；Ｓ３１８）。そして、処理ルーチンはＳ３０９に戻り、図６に示されたように第２隣接基地局、第３隣接基地局、…、第Ｎ−１隣接基地局、及び第Ｎ隣接基地局の順で上記過程を繰り返す。
【００２８】
【実施例２】
図４には本発明の第２実施例による移動通信システムにおけるアイドルハンドオフ制御方法が示されている。
【００２９】
Ｓ４０１で、アイドルハンドオフを行う前に制御器２０４はしきい値ＦＴＨを貯蔵するようにメモリ２０６を制御する。Ｓ４０２で、使用者が移動局２０のキー入力部２０２のパワーボタンを押すと、制御器２０４はタイマー２０８がリセットされるように制御する。
【００３０】
Ｓ４０３で、制御器２０４は活性基地局としての多数の基地局１０１、１０２、１０３、…、１０（Ｎ−１）、１０Ｎ（ここで、Ｎは整数）のいずれか一つから現在送信されたＣＤＭＡ周波数割り当てのうち、最も強い第１パイロットチャンネルを検索する。Ｓ４０４で、制御器２０４はＳ４０３で検索された第１パイロットチャンネルの強さＡ（Ｎ）、即ち、総受信スペクトル密度（雑音及び信号）Ｉｔに対するチップ当りの受信パイロットエネルギーＥｃを測定する（Ａ（Ｎ）＝Ｅｃ／Ｉｔ）。その後、制御器２０４は第１パイロットチャンネルの強さＡ（Ｎ）をメモリ２０６に貯蔵する（Ｓ４０５）。
【００３１】
Ｓ４０６で、制御器２０４は上記第１パイロットチャンネルに同期された上記活性基地局１０１から送信された隣接基地局のリスト（Ｋ）（ここで、Ｋは整数）を有するページングチャンネルをモニターする。Ｓ４０７で、制御器２０４は上記ページングチャンネルに含まれた隣接基地局のリスト（Ｋ）を貯蔵するようにメモリ２０６を制御する。
【００３２】
Ｓ４０８で、制御器２０４は、読み取るべき隣接基地局のメッセージ番号を１に設定する（Ｎ→１）。Ｓ４０９で制御器２０４はメモリ２０６に貯蔵されたＮ番目の隣接基地局に対応するメッセージを読み取る。Ｓ４１０で制御器２０４はメモリ２０６に貯蔵されたメッセージに対応するＮ番目の隣接基地局から送信された第２パイロットチャンネルを検索する。
【００３３】
Ｓ４１１で制御器２０４はＳ４１０で検索された第２パイロットチャンネルの強さＫ（Ｎ）を測定する（Ｋ（Ｎ）＝Ｅｃｋ／Ｉｔｋ）。そして制御器２０４は第２パイロットチャンネルの強さＫ（Ｎ）をメモリ２０６に貯蔵する（Ｓ４１２）。
【００３４】
Ｓ４１３で、制御器２０４はメモリ２０６に貯蔵されたＮ番目の隣接基地局に対する第２パイロットチャンネルの強さＫ（Ｎ）から活性基地局１０１に対する第１パイロットチャンネルの強さＡ（Ｎ）を減算して強さの差ＳＤ（Ｎ）を得る（即ち、ＳＤ（Ｎ）＝Ｋ（Ｎ）−Ａ（Ｎ））。その後、制御器２０４はＳ４１３で得た強さの差ＳＤ（Ｎ）をメモリ２０６に貯蔵する（Ｓ４１４）。
【００３５】
Ｓ４１５で、制御器２０４は強さの差ＳＤ（Ｎ）がメモリ２０６に貯蔵された上記しきい値ＦＴＨより大きいか否かを判断する。Ｓ４１５の判断の結果、上記強さの差ＳＤ（Ｎ）が上記しきい値ＦＴＨ以下である場合、制御器２０４はＳ４１５の実行回数Ｎが上記隣接基地局の総数Ｋより大きいか否かを判断する（Ｓ４１６）。
【００３６】
Ｓ４１６の判断の結果、Ｓ４１５の実行回数Ｎが上記隣接基地局の総数Ｋより大きいならば処理ルーチンは終了する。これに対し、Ｓ４１５の実行回数Ｎが上記隣接基地局の総数Ｋ以下である場合には、制御器２０４は上記活性基地局１０１から現在送信されたパイロットチャンネルを検索して処理すべき隣接基地局のメッセージ番号を１だけ増加させ（Ｎ→Ｎ＋１；Ｓ４１７）、さらに、タイマー２０８をリセットされるように制御する（Ｓ４１８）。そして、処理ルーチンはＳ４０９に戻り、図６に示されたように第２隣接基地局、第３隣接基地局、…、第Ｎ−１隣接基地局、及び第Ｎ隣接基地局の順で上記過程を繰り返す。
【００３７】
一方、Ｓ４１５の判断の結果、上記強さの差ＳＤ（Ｎ）が上記しきい値ＦＴＨより大きい場合、制御器２０４はタイマー２０８を制御して上記強さの差ＳＤ（Ｎ）が上記しきい値ＦＴＨより大きい状態の維持される時間間隔ＴＩをカウントする（Ｓ４１９）。Ｓ４２０で、制御器２０４はＳ４１９でカウントされた時間間隔ＴＩが所定の時間間隔ＴＴＨより大きいか否かを判断する。
【００３８】
Ｓ４２０の判断の結果、カウントされた時間間隔ＴＩが所定の時間間隔ＴＴＨより大きい場合、制御器２０４は上記Ｎ番目の隣接基地局のページングチャンネルを検索及びモニターして移動局２０がアイドルハンドオフを遂行するように制御する（Ｓ４２１）。これにより、移動局２０はＮ番目の隣接基地局のサービス領域に移動した他の移動局との通信が可能になる。これに対し、上記カウントされた時間間隔ＴＩが所定の時間間隔ＴＴＨ以下である場合処理ルーチンはＳ４１６に進行する。
【００３９】
【実施例３】
図５には本発明の第３実施例による移動通信システムにおけるアイドルハンドオフ制御方法が示されている。
【００４０】
Ｓ５０１で、アイドルハンドオフを行う前に制御器２０４はしきい値ＧＴＨを貯蔵するようにメモリ２０６を制御する。Ｓ５０２で、使用者が移動局２０のキー入力部２０２のパワーボタンを押すと、制御器２０４はカウンター２１０がリセットされるように制御する。
【００４１】
Ｓ５０３で、制御器２０４は活性基地局としての多数の基地局１０１、１０２、１０３、…、１０（Ｎ−１）、及び１０Ｎ（ここで、Ｎは整数）のいずれか一つから現在送信されたＣＤＭＡ周波数割り当てのうち、最も強い第１パイロットチャンネルを検索する。Ｓ５０４で、制御器２０４はＳ５０３で検索された第１パイロットチャンネルの強さＡ（Ｎ）、即ち、総受信スペクトル密度（雑音及び信号）Ｉｔに対するチップ当りの受信パイロットエネルギーＥｃを測定する（Ａ（Ｎ）＝Ｅｃ／Ｉｔ）。その後、制御器２０４は第１パイロットチャンネルの強さＡ（Ｎ）をメモリ２０６に貯蔵する（Ｓ５０５）。
【００４２】
Ｓ５０６で、制御器２０４は上記第１パイロットチャンネルに同期された上記活性基地局１０１から送信された隣接基地局のリスト（Ｋ）（ここで、Ｋは整数）を有するページングチャンネルをモニターする。Ｓ５０７で、制御器２０４は上記ページングチャンネルに含まれた隣接基地局のリスト（Ｋ）を貯蔵するようにメモリ２０６を制御する。
【００４３】
Ｓ５０８で、制御器２０４は、読み取るべき隣接基地局のメッセージ番号を１に設定する（Ｎ→１）。Ｓ５０９で制御器２０４はメモリ２０６に貯蔵されたＮ番目の隣接基地局に対応するメッセージを読み取る。Ｓ５１０で制御器２０４はメモリ２０６に貯蔵されたメッセージに対応するＮ番目の隣接基地局から送信された第２パイロットチャンネルを検索する。
【００４４】
Ｓ５１１で制御器２０４はＳ５１０で検索された第２パイロットチャンネルの強さＫ（Ｎ）を測定する（Ｋ（Ｎ）＝Ｅｃｋ／Ｉｔｋ）。そして、制御器２０４は第２パイロットチャンネルの強さＫ（Ｎ）をメモリ２０６に貯蔵する（Ｓ５１２）。
【００４５】
Ｓ５１３で、制御器２０４はメモリ２０６に貯蔵されたＮ番目の隣接基地局に対する第２パイロットチャンネルの強さＫ（Ｎ）から活性基地局１０１に対する第１パイロットチャンネルの強さＡ（Ｎ）を減算して強さの差ＳＤ（Ｎ）を得る（即ち、ＳＤ（Ｎ）＝Ｋ（Ｎ）−Ａ（Ｎ））。その後、制御器２０４はＳ５１３で得た強さの差ＳＤ（Ｎ）をメモリ２０６に貯蔵する（Ｓ５１４）。
【００４６】
Ｓ５１５で、制御器２０４は強さの差ＳＤ（Ｎ）がメモリ２０６に貯蔵された上記しきい値ＧＴＨより大きいか否かを判断する。Ｓ５１５の判断結果、上記強さの差ＳＤ（Ｎ）が上記しきい値ＧＴＨ以下である場合、制御器２０４はＳ５１５の実行回数Ｎが上記隣接基地局の総数Ｋより大きいか否かを判断する（Ｓ５１６）。
【００４７】
Ｓ５１６の判断の結果、Ｓ５１５の実行回数Ｎが上記隣接基地局の総数Ｋより大きい場合、処理ルーチンは終了する。これに対し、Ｓ５１５の実行回数Ｎが上記隣接基地局の総数Ｋ以下である場合には、制御器２０４は上記活性基地局１０１から現在送信されたパイロットチャンネルを検索して処理すべき隣接基地局のメッセージ番号を１だけ大きくし（Ｎ→Ｎ＋１；Ｓ５１７）、さらにカウンター２１０がリセットされるように制御する（Ｓ５１８）。そして、処理ルーチンはＳ５０９に戻り、図６に示されたように第２隣接基地局、第３隣接基地局、…、第Ｎ−１隣接基地局、及び第Ｎ隣接基地局の順で上記過程を繰り返す。
【００４８】
一方、Ｓ５１５の判断の結果、上記強さの差ＳＤ（Ｎ）が上記しきい値ＧＴＨより大きい場合、制御器２０４はカウンター２１０を制御してＳ５１５の実行回数をカウントさせる（Ｓ５１９）。Ｓ５２０で、制御器２０４はＳ５１９でカウントされたカウント数Ｃが所定の数ＣＴＨより大きいか否かを判断する。
【００４９】
Ｓ５２０の判断の結果、カウントされたカウント数Ｃが所定の数ＣＴＨより大きい場合、制御器２０４は上記Ｎ番目の隣接基地局のページングチャンネルを検索及びモニターして移動局２０がアイドルハンドオフを行うように制御する（Ｓ５２１）。これにより、移動局２０はＮ番目の隣接基地局のサービス領域に移動した他の移動局との通信が可能になる。これに対し、上記カウントされたカウント数Ｃが所定の数ＣＴＨ以下である場合、処理ルーチンはＳ５１６に進行する。
【００５０】
【発明の効果】
以上説明したように、本発明によれば、移動通信システムにおいてアイドルハンドオフの発生数を減らすことにより、移動局でのバッテリー消耗電力の減少、逆方向制御チャンネルの通信効率の向上、及び着信率増加等の効果を奏する。
【００５１】
以上、本発明を望ましい実施例に基づいて具体的に説明したが、本発明はこれに限定されるものではなく、本発明の要旨を逸脱しない範囲内で変更及び改良が可能なことは勿論である。
【図面の簡単な説明】
【図１】  従来の移動通信システムおけるアイドルハンドオフ制御方法を説明するフローチャートである。
【図２】  本発明によるアイドルハンドオフ制御方法を説明するための移動通信システムの構成を示すブロック図である。
【図３】  本発明の第１実施例による移動通信システムにおけるアイドルハンドオフ制御方法を説明するフローチャートである。
【図４】  本発明の第２実施例による移動通信システムにおけるアイドルハンドオフ制御方法を説明するフローチャートである。
【図５】  本発明の第３実施例による移動通信システムにおけるアイドルハンドオフ制御方法を説明するフローチャートである。
【図６】  図２の移動局によってパイロットチャンネルの強さの測定順序を示す図である。
【符号の説明】
２０ 移動局
２０２ キー入力部
２０４ 制御器
２０６ メモリ
２０８ タイマー
２１０ カウンター
【図１】
0004206150.tif 000002
【図２】
0004206150.tif 000003
【図３】
0004206150.tif 000004
【図４】
0004206150.tif 000005
【図５】
0004206150.tif 000006
【図６】
0004206150.tif 000007